(57)【要約】【課題】仮設足場上で作業する現場作業者の墜落を防止するための墜落防止構造を提供する。【解決手段】本発明の仮設足場の墜落防止構造は、複数の支柱１Ｂが立設される仮設足場に設けられ、現場作業者の仮設足場からの墜落を防止するためのものであって、隣り合う支柱１Ｂの間に交差するように斜め方向に配される一対の斜材１３を有する交差状部材１０と、両斜材１３の下部にそれらを掛け渡すようにして取り付けられる隙間閉塞部材１１とによって構成される。【選択図】図１
2020056247.tif 000002
【特許請求の範囲】
【請求項１】
複数の支柱が立設される仮設足場に設けられ、作業者の前記仮設足場からの墜落を防止するための墜落防止構造であって、
前記隣り合う支柱の間に交差するように斜め方向に配される一対の斜材を有する交差状部材と、
前記両斜材の下部にそれらを掛け渡すようにして取り付けられる隙間閉塞部材と、
によって構成されることを特徴とする、仮設足場の墜落防止構造。
【請求項２】
前記隙間閉塞部材は、
所定の長さを有するパイプ材と、
前記パイプ材の両端に形成された取付部材とからなり、
前記取付部材は、
前記交差状部材の前記斜材の途中に取り付けられる、請求項１に記載の仮設足場の墜落防止構造。
【請求項３】
前記斜材の端部には、厚みの薄い薄肉部が形成されており、
前記取付部材には、下方に開放された凹部が形成されており、
前記取付部材は、前記凹部を前記薄肉部に掛止することにより、前記斜材に取付けられる、請求項２に記載の仮設足場の墜落防止構造。
【請求項４】
前記取付部材には、
回動自在に支持されかつ前記斜材への取付け状態を保持するロック部材が設けられている、請求項２または３に記載の仮設足場の墜落防止構造。
【請求項５】
複数の支柱が立設される仮設足場に設けられ、作業者の前記仮設足場からの墜落を防止するための墜落防止構造の一部として用いられ、
前記墜落防止構造は、
前記隣り合う支柱の間に交差するように斜め方向に配される一対の斜材を有する交差状部材を有しており、
前記両斜材の下部にそれらを掛け渡すようにして取り付けられることを特徴とする、隙間閉塞部材。
【発明の詳細な説明】
【技術分野】
【０００１】
本発明は、建築工事現場等で組立てられる仮設足場において用いられる墜落防止構造に関する。
【背景技術】
【０００２】
従来、仮設足場は、建築工事現場において例えばビル等の建築物に沿うようにして設けられ、現場作業者が建築物の補修や塗装等の工事を行うために用いられる。近年では、仮設足場に用いられる複数種類の仮設部材を連結するためにくさびが用いられる、いわゆるくさび緊結式足場が採用されている（例えば「特許文献１」参照）。
【０００３】
くさび緊結式足場では、図１１に示すように、例えば複数の支柱１が建築物（例えば一般住宅Ｈ）の外面に沿って設けられる。より具体的には、一般住宅Ｈの外面と直交方向に例えば２列に支柱５１が立設され、同方向に隣り合う支柱５１同士には、図１１（ａ）に示すように、例えば高さ位置Ｈ１において横架材５２が設けられる。この横架材５２には、図１１（ｂ）に示すように一般住宅Ｈの外面に沿う方向に延びる足場板５３が取付けられる。また、同方向の隣り合う支柱５１同士であって足場板５３の上方には、複数の手摺５４が取付けられる。
【０００４】
このような建築工事現場においては、現場作業者は勾配を有する屋根Ｒの上で作業することがあるが、屋根Ｒの上での作業では墜落するおそれがある。そのため、例えば、図（ａ）に示す支柱５１の高さ位置Ｈ４，Ｈ５の近傍に一般住宅Ｈの屋根Ｒの庇Ｅが配置される場合には、屋根Ｒの側方である、支柱５１の高さ位置Ｈ５〜Ｈ７の領域Ｓにおいて別の手摺等を設ける必要がある。
【０００５】
しかしながら、屋根Ｒの側方に例えば別の手摺を取付けようとした場合、図１２に示すように、現場作業者は、高さ位置Ｈ５に別の手摺５５を取付けることができるが、それ以上の高さ位置では、現場作業者の手がとどかなかったり、屋根Ｒの庇Ｅが邪魔になったりする。そのため、屋根Ｒの側方、すなわち支柱５１の高さ位置Ｈ５〜Ｈ７の領域Ｓにおいては、墜落防止用の手摺を設置することが困難であるといった問題点があった。
【先行技術文献】
【特許文献】
【０００６】
【特許文献１】特開２０１５−２０３２９９号公報
【発明の概要】
【発明が解決しようとする課題】
【０００７】
本発明は、上記した事情のもとで考え出されたものであって、仮設足場上で作業する現場作業者の墜落を防止するための墜落防止構造を提供することをその課題とする。また、この墜落防止構造に用いられる隙間閉塞部材を提供することをその課題とする。
【課題を解決するための手段】
【０００８】
本発明の第１の側面によって提供される仮設足場の墜落防止構造は、複数の支柱が立設される仮設足場に設けられ、作業者の前記仮設足場からの墜落を防止するための墜落防止構造であって、前記隣り合う支柱の間に交差するように斜め方向に配される一対の斜材を有する交差状部材と、前記両斜材の下部にそれらを掛け渡すようにして取り付けられる隙間閉塞部材と、によって構成されることを特徴としている。
【０００９】
本発明の仮設足場の墜落防止構造において、前記隙間閉塞部材は、所定の長さを有するパイプ材と、前記パイプ材の両端に形成された取付部材とからなり、前記取付部材は、前記交差状部材の前記斜材の途中に取り付けられるとよい。
【００１０】
本発明の仮設足場の墜落防止構造において、前記斜材の端部には、厚みの薄い薄肉部が形成されており、前記取付部材には、下方に開放された凹部が形成されており、前記取付部材は、前記凹部を前記薄肉部に掛止することにより、前記斜材に取付けられるとよい。
【００１１】
本発明の仮設足場の墜落防止構造において、前記取付部材には、回動自在に支持されかつ前記斜材への取付け状態を保持するロック部材が設けられているとよい。
【００１２】
本発明の第２の側面によって提供される隙間閉塞部材は、複数の支柱が立設される仮設足場に設けられ、作業者の前記屋根からの墜落を防止するための墜落防止構造の一部として用いられ、前記墜落防止構造は、前記隣り合う支柱の間に交差するように斜め方向に配される一対の斜材を有する交差状部材を有しており、前記両斜材の下部にそれらを掛け渡すようにして取り付けられることを特徴としている。
【発明の効果】
【００１３】
本発明の仮設足場の墜落防止構造によれば、支柱の間に交差するように斜め方向に配される一対の斜材を有する交差状部材が設けられ、その下部に一対の斜材を掛け渡すようにして隙間閉塞部材が取り付けられるので、これらの部材により仮設足場の側方だけでなく、交差状部材の下方に生じる隙間をも塞ぐことができる。よって、仮設足場上で作業する作業者の墜落を確実に防止することができる。
【図面の簡単な説明】
【００１４】
【図１】本発明に係る仮設足場の墜落防止構造が適用されるくさび緊結式足場の一例を示し、（ａ）は側面図であり、（ｂ）は正面図である。
【図２】支柱と横架材の取付状態を示す図である。
【図３】墜落防止構造の交差状部材を示す図である。
【図４】図３に示す交差状部材のフック部の支柱に対する取付状態を示す図である。
【図５】図３に示す交差状部材の固定部の支柱に対する取付状態を示す図である。
【図６】図５の取付状態を上方から見た図である。
【図７】墜落防止構造の隙間閉塞部材を示す図である。
【図８】取付部材をパイプ材の中央側から見た図を示し、（ａ）はロック部材が上方に変位した図であり、（ｂ）はロック部材が下方に変位した図である。
【図９】隙間閉塞部材の交差状部材に対する取付状態を示す図である。
【図１０】図９の取付状態を上方から見た図である。
【図１１】従来のくさび緊結式足場を一例を示し、（ａ）は側面図であり、（ｂ）は正面図である。
【図１２】図１１に示すくさび緊結式足場において別の手摺が取り付けられる状態を示す図である。
【発明を実施するための形態】
【００１５】
以下、本発明の実施の形態につき、図面を参照して具体的に説明する。
【００１６】
図１は、本発明に係る仮設足場の墜落防止構造が適用されるくさび緊結式足場の一例を示し、（ａ）は側面図であり、（ｂ）は正面図である。くさび緊結式足場は、建築工事現場において建築物としての例えば一般住宅Ｈに沿うようにして設けられる。
【００１７】
このくさび緊結式足場では、図１（ａ）に示すように、一般住宅Ｈに向かう方向（同図の左右方向）に支柱１が並設されている。これら支柱１において、一般住宅Ｈに近い側を支柱１Ａ、一般住宅Ｈに遠い側を１Ｂとした場合、近い側の支柱１Ａを上方に延設しようとすると、支柱１Ａは一般住宅Ｈの庇Ｅに当接するため庇Ｅより低く設けられる。また、遠い側の支柱１Ｂは、庇Ｅと離れた位置に配されるため、支柱１Ａに比べ高く設けられる。支柱１Ａと支柱１Ｂとの間には、図１（ａ）に示す高さＨ１の位置で両者を掛け渡すように横架材２が設けられる。なお、横架材２は、同図の奥行き方向にかつ平行に複数並設される。
【００１８】
ここで、支柱１には、上下方向に所定間隔を隔ててフランジ３が設けられている。フランジ３は、図２に示すように、水平方向に広がるように略花びら状に形成され、フランジ３には十字状に４つの掛止孔４が形成されている。上記横架材２は、その両端に略わに口状の連結部５が設けられており、これとフランジ３に形成された掛止孔４とにくさび６が連通されることにより、支柱１のフランジ３に横架材２が緊結される。
【００１９】
図１（ｂ）に戻り、一般住宅Ｈに沿う方向（同図の左右方向）には、複数の支柱１Ｂが並設されている。支柱１Ｂ同士の間であって図１（ａ）に示した横架材２には、それを用いて、現場作業者が作業したり歩行したりするための足場板７が取付けられる。隣り合う支柱１Ｂの間であって、足場板７の上方の高さ位置Ｈ２，Ｈ３には、足場板７上にいる現場作業者の墜落を防止するための２本の手摺８がそれぞれ設けられる。
【００２０】
本発明に係る仮設足場の墜落防止構造は、勾配を有する屋根Ｒで作業する現場作業者の墜落を防止するための交差状部材１０と、交差状部材１０の下部に取付けられる隙間閉塞部材１１とによって構成される。
【００２１】
交差状部材１０は、例えば図１（ｂ）及び図３に示すように、隣り合う支柱１Ｂ間であって例えば屋根Ｒの勾配部分である高さＨ５〜Ｈ７の位置に取付けられる（なお、図３では、便宜上、隙間閉塞部材１１を省略している。）。交差状部材１０は、概して略水平方向に延びる水平部材１２と、水平部材１２の一方端側及び他方端側にそれぞれ接続される２本の斜材１３とを備えている。
【００２２】
水平部材１２は、所定長さを有する略円筒状のパイプ材であり、隣り合う支柱１Ｂの間の長さ（例えば約１．８ｍ）よりやや短く形成されている。水平部材１２の両端下部には、図３及び図４に示すように、下方に延びる延出部材１４が例えば溶接によってそれぞれ接合されている。各延出部材１４は、平板状に形成され、その側面に斜材１３がボルト１４ａによって回動自在にそれぞれ支持されている。
【００２３】
斜材１３は、先端が湾曲状に形成されたフック部１５と、長尺状の長尺部１６と、交差状部材１０を他のフランジ３に固定させるための固定部１７とを備えている。
【００２４】
フック部１５は、交差状部材１０を支柱１のフランジ３に係止するためのものであり、一部が支柱１に当接されながら（図４参照）、フランジ３の掛止孔４（図２参照）に掛止される。
【００２５】
長尺部１６は、現場作業者の墜落を防止する目的で、水平部材１２の下方の領域Ｓを可能な限り遮るためのものであり、その長さが水平部材１２より大とされている。長尺部１６は、円筒状のパイプ部１６ａと、その両端部に厚みが薄く形成された２つの薄肉部１６ｂとを有する。長尺部１６の一方側の薄肉部１６ｂには、フック部１５が例えば溶接で接合され、長尺部１６の他方側の薄肉部１６ｂには、固定部１７が接合されている。
【００２６】
固定部１７は、他のフランジ３に係止されつつ固定される。固定部１７は、図５及び図６に示すように、長尺部１６の薄肉部１６ｂに接続された平面視略Ｚ字状のＺ字状部材１８と、Ｚ字状部材１８に固定された断面視略コ字状のコ字状部材１９と、長尺状の固定部用くさび２０とによって構成されている。
【００２７】
コ字状部材１９の平面部分には、固定部用くさび２０を挿通するための挿通孔２１が形成されている。この固定部１７では、コ字状部材１９をフランジ３にかざし、フランジ３の掛止孔４及び挿通孔２１を貫通するようにして固定部用くさび２０を打ち込むことにより、支柱１のフランジ３と固定部１７とが連結される。
【００２８】
隙間閉塞部材１１は、交差する斜材１３によって生じる下部の隙間Ｐを可能な限り塞ぐために設けられる。隙間閉塞部材１１は、図７に示すように、上記水平部材１２とほぼ同じ長さのパイプ材２５と、パイプ材２５の両端に設けられた一対の取付部材２６とを備えている。隙間閉塞部材１１は、図１（ｂ）に示したように、交差状部材１０の２本の斜材１３の各下部に掛け渡すように、例えば支柱１の高さＨ５の位置とほぼ同じ高さ位置に取付けられる。
【００２９】
図８は、取付部材２６をパイプ材２５の中央側から見た図であるが、取付部材２６は、略多角形状の平板状に形成されており、取付部材２６の中央には、縦方向にかつ下方が開放された凹部２７が形成されている（図８（ａ）参照）。
【００３０】
取付部材２６は、この凹部２７を中央にして一方側の平面部２６ａに（図８（ａ）では左側）、パイプ材２５が直交方向に接続され、凹部２７を中央にして他方側の平坦部２６ｂに（図８（ａ）では右側）、隙間閉塞部材１１が斜材１３から脱落するのを防止するためのロック部材２８が設けられている。
【００３１】
ロック部材２８には、略への字状の２つの係合孔２９が形成されており、取付部材２６に形成された２つの突起片３０が上記係合孔２９に遊嵌されることにより、ロック部材２８は取付部材２６に対して回動自在とされている。なお、ロック部材２８は、各取付部材２６が対向する面側にそれぞれ設けられている。
【００３２】
次に、交差状部材１０及び隙間閉塞部材１１を支柱１Ｂ間に取付けるときの手順について簡単に説明する。
【００３３】
まず、現場作業者は、一方の斜材１３の下部を持ち、そのまま上方に当該斜材１３を持ち上げ、例えば図１（ｂ）に示す左側の支柱１Ｂのフランジ３の掛止孔４に、水平部材１２の一方端に設けられたフック部１５を嵌挿する。次いで、現場作業者は、他方の斜材１３の下部を持ち、左側の支柱１Ｂと隣り合う右側の支柱１Ｂのフランジ３の掛止孔４に、水平部材１２の他方端に設けられたフック部１５を嵌挿する。
【００３４】
次に、左側の支柱１Ｂのフランジ３の下方に設けられている他のフランジ３に対して、斜材１３の一方端に設けられた固定部１７のコ字状部材１９を挟み込む。次いで、固定部用くさび２０を他のフランジ３の掛止孔４及びコ字状部材１９の挿通孔２１に嵌挿し、ハンマー等で打ち込むことにより、固定部用くさび２０をコ字状部材１９に固定する。これにより、他のフランジ３と固定部１７とが緊結される。
【００３５】
その後、同様に、右側の支柱１のフランジ３の下方に設けられている他のフランジ３に対して、斜材１０の固定部１７の固定部用くさび２０をコ字状部材１９に固定し、他のフランジ３と固定部１７とを緊結する。このようにして、交差状部材１０が支柱１Ｂ間に取付けられる。
【００３６】
次に、交差状部材１０の両斜材１３に隙間閉塞部材１１を取り付ける。まず、図８（ａ）に示すように、一方の取付部材２６のロック部材２８を上方に変位させて凹部２７を開放させる。その凹部２７を開放させたまま、図９及び図１０に示すように、一方の斜材１３の薄肉部１６ｂに取付部材２６を引っ掛ける。
【００３７】
その後、図８（ｂ）に示すように、ロック部材２８を下方に変位させ、隙間閉塞部材１１が斜材１３から脱落しないようにロックする。このようにして、一方の斜材１３に隙間閉塞部材１１の一方の取付部材２６が取り付けられる。次いで、反対側の他方の取付部材２６も、同様にして他方の斜材１３の薄肉部１６ｂに取り付ける。
【００３８】
このようにして、隙間閉塞部材１１が両斜材１３に掛け渡すようにして取付けられる。この場合、斜材１３の長尺部１６の薄肉部１６ｂは、厚みが薄く形成されており、隙間閉塞部材１１の取付部材２６は、凹部２７を中央にして一方側の平面部２６ａに、パイプ材２５が接続されているため、図１０に示すように、長尺部１６とパイプ材２５が当接するようなことがない。
【００３９】
上記のように、交差状部材１０を支柱１Ｂに容易に取付けることができ、隙間閉塞部材１１を交差状部材１０に確実に取付けることができる。この場合、現場作業者は、図１（ｂ）に示す足場板７の上にいる場合であっても、高さＨ５〜Ｈ７の位置に容易に取り付けることができる。
【００４０】
また、本実施形態に係る墜落防止構造は、高さＨ５〜Ｈ７の位置における隙間Ｓを適切に塞ぐことができ、屋根Ｒで作業する現場作業者の墜落を確実に防止することができる。また、交差状部材１０は、一対の斜材１３が斜めに交差することによってその下部に略三角状の隙間Ｐを有することになるが、交差状部材１０の下部に隙間閉塞部材１１を取り付けることによりその部分における隙間Ｐも良好に塞ぐことができる。
【００４１】
なお、本発明の範囲は上述した実施の形態に限定されるものではなく、発明の範囲を逸脱しない範囲で種々の変更を行うことができる。例えば、上記実施形態における交差状部材１０及び隙間閉塞部材１１等の形状、大きさ、数量等は、上記実施形態に限るものではなく、適宜設計変更可能である。また、本発明における墜落防止構造は、例えば一般住宅に沿うくさび緊結式足場に適用されたが、一般住宅に限らず他の建築物に沿うくさび緊結式足場に適用されてもよい。また、本発明における墜落防止構造は、例えば組立式の移動式足場の手摺として用いられてもよいし、あるいは型枠支保工とその外周に設けられる本足場との間に用いられてもよい。
【００４２】
また、例えば上記実施形態では、支柱１にフランジ３が設けられていたが、フランジ３に代えて例えば上面視コの字状のポケット体が設けられ、各仮設部材はこのポケット体に連結されてもよい。
【符号の説明】
【００４３】
１    支柱
３    フランジ
１０    交差状部材
１１    隙間閉塞部材
１２    水平部材
１３    斜材
１５    フック部
１６    長尺部
１６ａ  パイプ部
１６ｂ  薄肉部
１７    固定部
２５    パイプ材
２６    取付部材
２７    凹部
２８    ロック部材
Ｒ    屋根
【図１】
2020056247.tif 000003
【図２】
2020056247.tif 000004
【図３】
2020056247.tif 000005
【図４】
2020056247.tif 000006
【図５】
2020056247.tif 000007
【図６】
2020056247.tif 000008
【図７】
2020056247.tif 000009
【図８】
2020056247.tif 000010
【図９】
2020056247.tif 000011
【図１０】
2020056247.tif 000012
【図１１】
2020056247.tif 000013
【図１２】
2020056247.tif 000014